(57)【要約】【課題】白蟻の進入経路をより確実に絶つとともに断熱基礎構造のメンテナンス時に行われる防蟻剤の補充作業をより容易化する断熱基礎構造、および断熱基礎構造に防蟻処理を施す方法を提供する。【解決手段】本発明の断熱基礎構造は、建築物を支持する外周基礎の側面が断熱されたものであって、前記外周基礎の側面の下側に取り付けられた下側断熱材と、少なくとも周端が前記外周基礎の側面に接し、かつ前記下側断熱材の上面を覆うように配置された防蟻シートと、前記防蟻シートの上面に接し、かつ前記外周基礎の側面の上側に取り付けられた上側断熱材と、を備え、前記防蟻シートは、施工後のメンテナンス時に前記上側断熱材と前記外周基礎との隙間に注入される防蟻薬液を堰き止めることが可能な材料または防蟻薬液を含浸することが可能な材料で構成されていることを特徴とする。【選択図】図２
2018066205.tif 000002
【特許請求の範囲】
【請求項１】
建築物を支持する外周基礎の側面が断熱された断熱基礎構造であって、
前記外周基礎の側面の下側に取り付けられた下側断熱材と、
少なくとも周端が前記外周基礎の側面に接し、かつ前記下側断熱材の上面を覆うように配置された防蟻シートと、
前記防蟻シートの上面に接し、かつ前記外周基礎の側面の上側に取り付けられた上側断熱材と、を備え、
前記防蟻シートは、施工後のメンテナンス時に前記上側断熱材と前記外周基礎との隙間に注入される防蟻薬液を堰き止めることが可能な材料または防蟻薬液を含浸することが可能な材料で構成されていることを特徴とする断熱基礎構造。
【請求項２】
請求項１記載の断熱基礎構造において、
前記下側断熱材の上面と前記防蟻シートの下面とが接着剤によって接着されている、ことを特徴とする断熱基礎構造。
【請求項３】
請求項２記載の断熱基礎構造において、
前記接着剤は、防蟻機能を有する材料で構成されている、ことを特徴とする断熱基礎構造。
【請求項４】
請求項１〜３のいずれか一項記載の断熱基礎構造において、
前記上側断熱材を前記外周基礎に取り付けた状態のままで前記防蟻薬液を前記外周基礎の側面に沿って導入できるように前記上側断熱材の上面の高さ位置を前記外周基礎の上面よりも下側とされている、ことを特徴とする断熱基礎構造。
【請求項５】
請求項１〜４のいずれか一項記載の断熱基礎構造において、
前記下側断熱材の側面に接し、かつ前記下側断熱材の上面と略同一高さまで盛り上げた地盤をさらに設け、
前記防蟻シートは、前記下側断熱材の上面および前記地盤の上面を覆うように設けられている、ことを特徴とする断熱基礎構造。
【請求項６】
建築物を支持する外周基礎の側面の下側に下側断熱材を取り付けるステップと、
少なくとも周端が前記外周基礎に接し、かつ前記下側断熱材の上面を覆うように、防蟻薬液を堰き止めることが可能な材料または防蟻薬液を含浸することが可能な材料で構成されている防蟻シートを取り付けるステップと、
前記防蟻シートの上面に接し、かつ前記外周基礎の側面の上側に上側断熱材を取り付けるステップと、
前記防蟻シートよりも上側に位置する前記外周基礎の側面に防蟻薬液を注入することにより、前記防蟻薬液を前記防蟻シートの周縁の上面まで到達させるかまたは前記防蟻薬液を前記防蟻シートに含浸させるステップと、を有することを特徴とする断熱基礎構造に防蟻処理を施す方法。
【発明の詳細な説明】
【技術分野】
【０００１】
本発明は、建築物を支持する枠状の外周基礎の側面が断熱材によって覆われた断熱基礎構造、および当該構造に防蟻処理を施す方法に関する。
【背景技術】
【０００２】
上記のような断熱基礎構造に関する従来技術として、例えば下記特許文献１が公知である。この特許文献１の断熱基礎構造は、図１０に示されるように、建築物を支持する枠状の外周基礎１０１と、前記外周基礎１０１の外側面１０１ａ（図１０の左側面）の全面を覆うように取り付けられた断熱材１０９とを有している。この断熱材１０９は、下側断熱材１０９ａとその直上に設けられた上側断熱材１０９ｂとの上下二部材によって構成されており、下側断熱材１０９ａの上面およびその上面近傍の側面を覆うようにステンレスメッシュ製の防蟻シート１０７が折り返して取り付けられている。
【先行技術文献】
【特許文献】
【０００３】
【特許文献１】特開２０００−１１０２６７号公報
【発明の概要】
【発明が解決しようとする課題】
【０００４】
上記特許文献１に開示された断熱基礎構造（図１０）によれば、土中に住む白蟻が上記下側断熱材１０９ａの内部をつたって上方に這い上がることが防蟻シート１０７によって阻止され、土台や柱等の建築物の木質部分に白蟻による食害が及ぶことを防止することができる。
【０００５】
しかしながら、上記特許文献１の技術では、防蟻シート１０７がステンレスメッシュ製で構成されているので、防蟻シート１０７の防蟻性能が腐食等によって低下した場合に、下側断熱材１０９ａに侵入した白蟻が防蟻シート１０７を掻い潜って上側断熱材１０９ｂに入り込んで建築物に到達する懸念があった。このような問題を避けるために防蟻シート１０７を定期的に交換することが望ましいが、この交換作業には、断熱材１０９（１０９ａ、１０９ｂ）を一旦取り外す必要があり、作業が煩雑化してしまう。
【０００６】
本発明は、上記のような事情に鑑みてなされたものであり、白蟻の進入経路をより確実に絶つとともに断熱基礎構造のメンテナンス時に行われる防蟻薬液の充填作業をより容易化することを目的とする。
【課題を解決するための手段】
【０００７】
上記課題を解決するためのものとして、本発明は、建築物を支持する外周基礎の側面が断熱された断熱基礎構造であって、前記外周基礎の側面の下側に取り付けられた下側断熱材と、少なくとも周端が前記外周基礎の側面に接し、かつ前記下側断熱材の上面を覆うように配置された防蟻シートと、前記防蟻シートの上面に接し、かつ前記外周基礎の側面の上側に取り付けられた上側断熱材と、を備え、前記防蟻シートは、施工後のメンテナンス時に前記上側断熱材と前記外周基礎との隙間に注入される防蟻薬液を堰き止めることが可能な材料または防蟻薬液を含浸することが可能な材料で構成されていることを特徴とするものである（請求項１）。
【０００８】
本発明によれば、下側断熱材の上面を覆うように防蟻シートが設けられているので、下側断熱材に侵入した白蟻が上側断熱材に到達することを防蟻シートによって防止することができる。また、防蟻シートの周端が外周基礎の側面に接しているので、白蟻の進入経路を確実に絶つことが可能となる。
【０００９】
しかも、防蟻シートが防蟻薬液を堰き止めることが可能な材料で構成されている場合には、防蟻シートよりも上側に位置する外周基礎の側面に防蟻薬液を注入することで、防蟻薬液が外周基礎の側面を伝って流れ落ちて防蟻シートで受け止められ、防蟻シートの上面に溜まるとともに上側断熱材の下端部に防蟻薬液を高濃度に浸透させることができる。これにより上側断熱材および下側断熱材を外周基礎に取り付けた状態のまま、外周基礎の側面と防蟻シートとが交差する部分に防蟻薬液を補充することができる。また防蟻シートが防蟻薬液を含浸することが可能な材料で構成されている場合には、防蟻シートよりも上側に位置する外周基礎の側面に防蟻薬液を注入することで、防蟻薬液が外周基礎の側面を伝って流れ落ちて防蟻シートに含浸される。これにより上側断熱材および下側断熱材を外周基礎に取り付けた状態のまま、防蟻シートに防蟻薬液を含浸させることができる。これらの材料で構成された防蟻シートを設けることで、断熱基礎構造のメンテナンス時に防蟻薬液を充填する作業が容易となる。上記防蟻薬液に対し追加で防蟻薬液が定期的に補充されることにより、上記外周基礎の側面と防蟻シートとが交差する部分における防蟻効果または防蟻シートそのものの防蟻効果が長期間に亘って維持されるので、外周基礎の側面と防蟻シートとの隙間を通った白蟻の侵入を確実に防止することができる。
【００１０】
上記構成において、好ましくは、前記下側断熱材の上面と前記防蟻シートの下面とが接着剤によって接着されている（請求項２）。
【００１１】
上記構成によれば、下側断熱材と防蟻シートとが接着剤によって固定されているので、防蟻シートの下側から白蟻が防蟻シートを食い破ろうとして上向きに上がって防蟻シートの面方向に力が作用した時にも防蟻シートの周端が外周基礎の側面から離れることなく接触した状態を保つことができる。これによりメンテナンス時に防蟻薬液を外周基礎の側面に伝わせて確実に防蟻シートで受け止めることが可能となり、防蟻性能のメンテナンス性をより高めることができる。しかも、下側断熱材の上面と防蟻シートとを接着剤によって固定することで、下側断熱材の上面に防蟻シートを施工する時に防蟻シートが位置ずれしにくくなるので、防蟻シートを配置しやすい。
【００１２】
上記構成において、好ましくは、前記接着剤は、防蟻機能を有する材料で構成されている（請求項３）。
【００１３】
上記構成によれば、接着剤が防蟻性能を有しているので、下側断熱材と防蟻シートとの隙間に白蟻が侵入することをより確実に防止することができる。
【００１４】
上記構成において、好ましくは、前記上側断熱材を前記外周基礎に取り付けた状態のままで前記防蟻薬液を前記外周基礎の側面に沿って導入できるように前記上側断熱材の上面の高さ位置を前記外周基礎の上面よりも下側とされている（請求項４）。
【００１５】
上記構成によれば、上側断熱材の上面よりも上側から外周基礎の側面に対して防蟻薬液を注入するための隙間を確保することができる。この隙間を通じて外周基礎の側面に防蟻薬液を注入することによって、防蟻薬液が外周基礎の側面を伝って流下して防蟻シートで受け止められ、防蟻シートの上面に溜まるとともに上側断熱材の下端部に防蟻薬液を高濃度に浸透させるかまたは防蟻シートに防蟻薬液を含浸させることができる。これにより上側断熱材および下側断熱材を外周基礎に取り付けた状態のまま、外周基礎の側面と防蟻シートとが交差する部分または防蟻シートそのものに防蟻薬液を補充することができるので、断熱基礎構造への防蟻薬液の充填作業が容易である。
【００１６】
上記構成において、好ましくは、前記下側断熱材の側面に接し、かつ前記下側断熱材の上面と略同一高さまで盛り上げた地盤をさらに設け、前記防蟻シートは、前記下側断熱材の上面および前記地盤の上面を覆うように設けられている（請求項５）。
【００１７】
上記構成によれば、下側断熱材および地盤のそれぞれの上面が略同一高さとされるので、防蟻シートの一端を下側断熱材に接するように配置する作業が容易となる。また、下側断熱材の上面と地盤の上面との間が微妙に異なることで両者の間に隙間が形成されている場合には、当該隙間が蟻の進入経路となることがあるが、上記構成によれば、下側断熱材の上面と地盤の上面との間に隙間が形成されないので、蟻の進入経路をより確実に絶つことが可能となる。
【００１８】
本発明の断熱基礎構造に防蟻処理を施す方法は、建築物を支持する枠状の外周基礎の側面の下側に下側断熱材を取り付けるステップと、少なくとも周端が前記外周基礎に接し、かつ前記下側断熱材の上面を覆うように防蟻薬液を堰き止めることが可能な材料または防蟻薬液を含浸することが可能な材料で構成された防蟻シートを取り付けるステップと、前記防蟻シートの上面に接し、かつ前記外周基礎の側面の上側に上側断熱材を取り付けるステップと、上側断熱材を取り付けた後に前記防蟻シートよりも上側に位置する前記外周基礎の側面に防蟻薬液を注入することにより、前記防蟻薬液を前記防蟻シートの周縁の上面まで到達させるかまたは前記防蟻薬液を前記防蟻シートに含浸させるステップと、を有することを特徴とするものである（請求項６）。
【００１９】
上記方法において、上側断熱材を取り付けた後に、外周基礎の側面に防蟻薬液を注入することで、防蟻薬液が外周基礎の側面を伝って流れ落ちて防蟻シートで受け止められ、防蟻シートの上面に溜まるとともに上側断熱材の下端部に防蟻薬液を高濃度に浸透させるかまたは防蟻シートに防蟻薬液を含浸させることができる。
【００２０】
また、上記防蟻薬液の防蟻効果が低下した場合には、上記箇所に配置された防蟻薬液に対して追加の防蟻薬液を防蟻シートの上側に位置する外周基礎の側面に供給することにより上側断熱材および下側断熱材を外周基礎の側面に取り付けた状態のまま、防蟻薬液を容易に補充することができる。これにより、メンテナンス用の防蟻薬液を補充するためにわざわざ断熱材を取り外すなどの煩雑な作業をする必要がなくなり、メンテナンスの作業性を格段に向上することができる。また、上記防蟻薬液に対し追加で防蟻薬液が定期的に補充されることにより、上記外周基礎の側面と防蟻シートとが交差する部分における防蟻効果または防蟻シートそのものの防蟻効果が長期間に亘って維持されるので、外周基礎の側面と防蟻シートとの隙間を通った白蟻の侵入を確実に防止することができる。
【発明の効果】
【００２１】
本発明によれば、白蟻の進入経路をより確実に絶つとともに断熱基礎構造のメンテナンス時に行われる防蟻薬液の補充作業をより容易化する断熱基礎構造、および断熱基礎構造に防蟻処理を施す方法を提供することができる。
【図面の簡単な説明】
【００２２】
【図１】本発明の実施形態にかかる断熱基礎構造を示す平面図である。
【図２】図１のＩＩ−ＩＩ線に沿った断面図である。
【図３】上記断熱基礎構造の施工方法を説明するための説明図（その１）である。
【図４】上記施工方法の説明図（その２）である。
【図５】上記施工方法の説明図（その３）である。
【図６】上記施工方法の説明図（その４）である。
【図７】上記施工方法の説明図（その５）である。
【図８】上記断熱基礎構造に対して行うメンテナンス作業を説明するための図である。
【図９】図８のメンテナンス作業後の図である。
【図１０】断熱基礎構造の従来例を説明するための図である。
【発明を実施するための形態】
【００２３】
以下添付図面を参照しながら、本発明の実施形態について説明する。なお、以下の実施形態は、本発明を具体化した例であって、本発明の技術的範囲を限定する性格のものではない。
【００２４】
（１）断熱基礎構造の全体説明
図１は、本発明の実施形態にかかる建物の床構造を示す平面図であり、図２は図１から玄関床５、上がり框６および土台Ｔを取り除いたＩＩ−ＩＩ線断面図である。これらの図に示される当実施形態の断熱基礎構造は、家屋等の建物の１階の玄関に適用されており、建物を支持するために枠状に打設された外周基礎コンクリート１と、玄関下の地盤Ｅ１〜Ｅ３の上面を覆うように打設された土間スラブ２と、屋内Ｓ１と屋外Ｓ２とを区切る玄関扉９に平行に延びるように打設された境界基礎コンクリート３と、土間スラブ２の上面に敷設された上層部材４とを備えている。玄関扉９よりも屋外Ｓ２側における上層部材４が玄関ポーチ、玄関扉９よりも屋内Ｓ１側における上層部材４が玄関上がり口（つまり靴などを脱いで配置する場所）である。
【００２５】
外周基礎コンクリート１は、図１に示す平面視において、互いに直交するように組み合わされた複数の枠辺１Ａ〜１Ｅを有している。このうち、土間スラブ２の周囲を囲む３つの枠辺１Ａ，１Ｂ，１Ｃは、全体として、屋外Ｓ２側に開放された平面視コ字型の形状を有しており、当該コ字状部分の開放面に対応する位置が建物の出入口とされている。
【００２６】
外周基礎コンクリート１は、図２に示すように、屋内Ｓ１側の地盤Ｅ１と床下空間Ｓ３側の地盤Ｅ３との間に立設される断面視逆Ｔ字状のいわゆる布基礎であり、地盤Ｅ１，Ｅ３から鉛直上方に立ち上がるように形成された外周基礎１１と、地盤Ｅ１，Ｅ３に埋設された外周基礎１１の下端から水平方向に張り出すように形成されたフーチング１２とを一体に有している。この外周基礎１１の上面には、建物の床部の骨格を構成する木製の角材等からなる土台Ｔが、図外のアンカーボルト等を介して固定されている。この土台Ｔの屋外Ｓ２側の側面には木製の角材等からなる上がり框６が取り付けられており、土台Ｔの上面および側面から屋内Ｓ１側にかけて玄関床５が延設されている。玄関床５および上がり框６の上面は面一とされており、かつ玄関上がり口の上層部材４の上面よりも一段上がった位置とされている。玄関床５の上面が建物の屋内の靴等を脱いで上がる玄関廊下に相当し、この玄関床５の下側には床下空間Ｓ３が広がっている。
【００２７】
各地盤Ｅ１〜Ｅ３の高さ位置は、屋内Ｓ１、屋外Ｓ２および床下空間Ｓ３の部位に応じてそれぞれ個別に設定されており、床下空間Ｓ３をなるべく広く確保する趣旨で床下空間Ｓ３の地盤Ｅ３の高さを最も低く設定されており、屋内Ｓ１の地盤Ｅ１は、屋外Ｓ２の地盤Ｅ２の高さよりも一段高く設定されている。
【００２８】
土間スラブ２は、図２に示すように、外周基礎１１よりも床下空間Ｓ３の地盤Ｅ３の上面を覆う床下側土間スラブ２３（いわゆる床下土間）と、外周基礎コンクリート１と境界基礎コンクリート３との間の部分、つまり屋内Ｓ１側の地盤Ｅ１の上面を覆う屋内側土間スラブ２１（いわゆる玄関土間）と、境界基礎コンクリート３よりも屋外Ｓ２側の地盤Ｅ２の上面を覆う屋外側土間スラブ２２（いわゆるポーチ土間）とを有している。土間スラブ２の厚みは各部位によって大きくは変更しておらず、それぞれ略同一厚みとしている。
【００２９】
屋内側土間スラブ２１の上面の高さは、後述する境界基礎コンクリート３の上面の高さと同位置に設定されており、屋外側土間スラブ２２の上面の高さは、屋内側土間スラブ２１および境界基礎コンクリート３の上面よりも低く設定されている。言い換えると、屋内側土間スラブ２１の上面高さは、屋外側土間スラブ２２よりも一段上がった位置に設定されている。
【００３０】
上層部材４は、玄関の床面を構成する部材であり、屋内側および屋外側土間スラブ２１，２２の上面および外周基礎１１の外側面１１ｂの上側を直接覆うように塗布されたモルタル層４１と、モルタル層４１の上面に配設、固着された舗装材４２とを有している。舗装材４２は、例えば、一定パターンで並べられた複数の石材製タイル（あるいはセラミックプレート、レンガ等）により構成することができる。
【００３１】
玄関床５は、図２に示すように、床下からの冷気を遮断するための床下断熱材５１と、この床下断熱材５１の表面を覆う化粧材５２とで構成されている。床下断熱材５１は、例えば発泡ポリスチレンや発泡ウレタンなど、断熱性に優れた樹脂材料からなり、外周基礎１１の上面と直交する方向に所定の厚みを有している。化粧材５２は、表面が滑らかな板状部材によって構成され、化粧材５２の上面は、上がり框６の上面と同一の高さ位置に設定されている。
【００３２】
上記外周基礎１１の床下空間Ｓ３側の側面（以下「内側面１１ａ」とも記す）には、例えば接着剤を介して断熱材７ａが取り付けられており、外周基礎１１の内側面１１ａとは反対側の側面（以下「外側面１１ｂ」とも記す）にも同様に断熱材７ｂが取り付けられている。
【００３３】
断熱材７ａ、７ｂは、上記床下断熱材５１と同様の材料で構成されており、外周基礎１１の側面１１ａ，１１ｂと直交する方向に所定の厚みを有した板状の部材である。外周基礎１１の側面１１ａ，１１ｂには、その面積に合わせて複数枚の上記断熱材７ａ、７ｂが並列に（図２では紙面に直交する方向に）並べて取り付けられている。断熱材７ａは、後述する防蟻シート８を介して上側断熱材７２ａおよび下側断熱材７１ａの上下に二分割されている。
【００３４】
下側断熱材７１ａは、地盤Ｅ３と外周基礎１１との間に挟まれる状態で、上記外周基礎１１の内側面１１ａに取り付けられている。また、上側断熱材７２ａはその下側が床下側土間スラブ２３と外周基礎１１との間に挟まれる状態で、上記外周基礎１１の内側面１１ａに取り付けられている。上記各断熱材７１ａ，７２ａの固定に接着剤を用いる場合には、防蟻用の薬剤が練り込まれた接着剤を用いることが好ましい。なお、接着剤に含有され得る薬剤の具体例は、後述する防蟻薬液の説明において例示する薬剤と基本的に同じであるので、ここでは説明を省略する。
【００３５】
上側断熱材７２ａの上面の高さ位置は、外周基礎１１の上面よりも僅かに下側とされており、玄関床５と上側断熱材７２ａとの間に注射針を差し込める程度の僅かな隙間が確保されている。
【００３６】
外周基礎１１の外側面１１ｂ側に取り付けられた断熱材７ｂも、上記断熱材７ａと同様、防蟻シート８を介して上側断熱材７２ｂと下側断熱材７１ｂとの上下に二分割されており、下側断熱材７１ｂは、地盤Ｅ１と外周基礎１１との間に挟まれる状態で、上記外周基礎１１の外側面１１ｂに取り付けられている。また、上側断熱材７２ｂは屋内側土間スラブ２１と外周基礎１１との間に挟まれる状態で、上記外周基礎１１の外側面１１ｂに取り付けられている。上側断熱材７２ｂの上面は屋内側土間スラブ２１と略同一高さとされており、屋内側土間スラブ２１とともにモルタル層４１で覆われている。
【００３７】
境界基礎コンクリート３は、図１にも示すように、建物の出入口に対応する位置、つまり屋内Ｓ１側の地盤Ｅ１と屋外Ｓ２側の地盤Ｅ２との間に立設されており、外周基礎コンクリート１の対向する２つの枠辺１Ｂ，１Ｃどうしを互いに連結している。境界基礎コンクリート３は、図２に示すように、外周基礎コンクリート１と同様の断面視逆Ｔ字状のいわゆる布基礎であり、地盤Ｅ１，Ｅ２から鉛直上方に立ち上がるように形成された境界基礎３１と、地盤Ｅ１，Ｅ２に埋設された境界基礎３１の下端から水平方向に張り出すように形成されたフーチング３２とを一体に有している。この境界基礎コンクリート３よりも屋外Ｓ２側の上面には玄関扉９（図１、図２）が設置されている。上記境界基礎３１の内側面３１ａには境界側断熱材７ｃが取り付けられている。
【００３８】
境界側断熱材７ｃは、上記断熱材７ａ，７ｂと同様の材料で構成され、且つ上記断熱材７ａ，７ｂと同様、防蟻シート８を介して上側断熱材７２ｃと下側断熱材７１ｃとの上下に２分割されており、それぞれが例えば接着剤７３を介して境界基礎３１の内側面３１ａに固定されている。上側断熱材７２ｃの上面はモルタル層４１で覆われている。
【００３９】
地盤Ｅ１〜Ｅ３と土間スラブ２との間には、地盤Ｅ１〜Ｅ３よりも上側に白蟻が侵入するのを防ぐための防蟻シート８が敷設されている。地盤Ｅ３と床下側土間スラブ２３とに挟まれる防蟻シート８は、床下側土間スラブ２３の上面よりも広い範囲を覆うように拡がっており、その一部が床下側土間スラブ２３の外側をはみ出して下側断熱材７１ａの上部を覆うとともに防蟻シート８の周端は外周基礎１１の内側面１１ａに接している。そして、防蟻シート８の周端は、例えば接着剤を介して下側断熱材７１ａの上面に固定されている。
【００４０】
屋内側土間スラブ２１と地盤Ｅ１とに挟まれる防蟻シート８は、屋内側土間スラブ２１の外側をはみ出して下側断熱材７１ｂ、７１ｃの上部を覆うとともに防蟻シート８の周端が外周基礎１１の外側面１１ｂおよび境界基礎３１の内側面３１ａにそれぞれ接している。そして、防蟻シート８の周端は、例えば接着剤を介して下側断熱材７１ｂ、７１ｃの上面に固定されている。
【００４１】
防蟻シート８は、防蟻機能を有し、且つ防蟻薬液を堰き止めることが可能な材質のシート状体であれば特にその種類を問わないが、例えば、防蟻用の薬剤が練りこまれた樹脂成形体からなるフィルムまたは板材などを、上記防蟻シート８として使用することができる。ここで用いられる樹脂成形体としては、ポリエチレン樹脂、ポリプロピレン樹脂、エチレン−酢酸ビニル共重合体（ＥＶＡ：Ｅｔｈｙｌｅｎｅ−Ｖｉｎｙｌａｃｅｔａｔｅ）樹脂、ポリ塩化ビニル樹脂、ポリエチレンテレフタレート樹脂などが挙げられる。
【００４２】
（２）施工方法
次に、以上のような断熱基礎構造を施工する方法について、図３〜図７等を用いて説明する。なお、この説明の前提として、地盤Ｅ１と地盤Ｅ３の間および地盤Ｅ１と地盤Ｅ２の間には、既に外周基礎コンクリート１および境界基礎コンクリート３が打設されており、かつ外周基礎１１の側面１１ａ，１１ｂおよび境界基礎３１の内側面３１ａの下側には接着剤を介して下側断熱材７１ａ〜７１ｃがそれぞれ取り付けられたものとしている。
【００４３】
下側断熱材７１ｂ、下側断熱材７１ｃおよび地盤Ｅ１はそれぞれ、図３に示すように略同一の上面高さとされており、下側断熱材７１ａおよび地盤Ｅ３はそれぞれ略同一の上面高さとされている。
【００４４】
上記の状態から始める作業としては、まず、図４に示すように、各下側断熱材７１ａ〜７１ｃの上面に防蟻シート８を固定するための接着剤７３を塗布する。
【００４５】
次に、図５に示すように、各下側断熱材７１ａ〜７１ｃおよび地盤Ｅ１，Ｅ３の上面を覆うように防蟻シート８を敷設するとともに境界基礎３１に隣接する屋外Ｓ２側の所定範囲の地盤Ｅ２の上面にそれぞれ防蟻シート８を敷設する。このとき、防蟻シート８の周端部は接着剤７３を介して各下側断熱材７１ａ〜７１ｃの上面に固定される。各防蟻シート８を敷設するときに、地盤Ｅ１〜Ｅ３からの白蟻の進入経路を完全に遮断すべく、防蟻シート８の周端が外周基礎１１の側面１１ａ、１１ｂおよび境界基礎３１の内側面３１ａに接するように配置する。
【００４６】
ここでの敷設作業で使用される防蟻シート８の枚数は、１枚に限られない。防蟻シート８を複数枚使用する場合は、例えば、外周基礎１１および境界基礎３１に比較的近い部分のみを覆うために用意された帯状の防蟻シート８と、地盤Ｅ１〜Ｅ３の中央部を含む比較的広範な領域を覆うために用意された矩形状の防蟻シート８とを部分的に重ね合わせつつ敷設するとよい。
【００４７】
次いで、図５に示すように、外周基礎１１の側面１１ａ，１１ｂおよび境界基礎３１の内側面３１ａにそれぞれ上側断熱材７２ａ，７２ｂ，７２ｃを取り付ける。すなわち、上側断熱材７２ａ，７２ｂの裏面を接着剤等を介して外周基礎１１の側面１１ａ，１１ｂに固定することにより、外周基礎１１の側面１１ａ，１１ｂの上側と防蟻シート８の周端とを覆うように上側断熱材７２ａ，７２ｂを取り付ける。同様にして、上側断熱材７２ｃの裏面を接着剤等を介して境界基礎３１の内側面３１ａに固定することにより、境界基礎３１の内側面３１ａの上側と防蟻シート８の周端とを覆うように上側断熱材７２ｃを取り付ける。上側断熱材７２ａ〜７２ｃの固定に用いる接着剤は、上記下側断熱材７１ａ〜７１ｃの固定に用いた接着剤と同様のものを用いる。
【００４８】
次いで、図６に示すように、床下空間Ｓ３側、屋内Ｓ１側、屋外Ｓ２側の防蟻シート８の上面を覆うように各土間スラブ２１〜２３を施工する。これにより、各防蟻シート８が地盤Ｅ１〜Ｅ３および各土間スラブ２１〜２３によって挟み込まれて固定される。このとき、屋内側土間スラブ２１の上面は、上側断熱材７２ｂ，７２ｃの上面と略同一の高さ位置となるように調整され、屋外側土間スラブ２２の上面は、境界基礎３１の上面よりも低くなるように調整される。上側断熱材７２ａ〜７２ｃは、各土間スラブ２１〜２３と外周基礎１１および境界基礎３１との間に挟み込まれることでより強固に固定される。
【００４９】
次に、屋内側土間スラブ２１、屋外側土間スラブ２２および境界基礎コンクリート３の上面並びに外周基礎１１の外側面１１ｂの上側を全面的に覆うように上層部材４を敷設する。すなわち、図７に示すように、屋内側土間スラブ２１および屋外側土間スラブ２２の上面と、境界基礎３１および上側断熱材７２ａの上面と、外周基礎１１の外側面１１ｂの露出した部分をともに覆うようにモルタル層４１を塗布する。そして、当該モルタル層４１の上面に舗装材４２を配設することにより上層部材４を形成する。
【００５０】
次いで、図２に示すように、外周基礎コンクリート１の上面に図外のアンカーボルト等を介して木製の角材等の土台Ｔおよび上がり框６を組み付けるとともに土台Ｔの屋内Ｓ１側の側面に延びる玄関床５を取り付ける。最後に、玄関における屋内Ｓ１と屋外Ｓ２との間に玄関扉９を取り付ける。以上のようにして図２に示す本実施形態の断熱基礎構造が施工される。
【００５１】
（３）メンテナンス作業
以上のような方法で施工された断熱基礎構造に対し、防蟻効果を維持するためのメンテナンスを行うときの作業手順について説明する。
【００５２】
土中の白蟻は、基本的に暗がりを行動範囲とするため、建築物内に侵入しようという場合は、例えば外周基礎１１の内側面１１ａと断熱材７ａとの隙間を通るか、または外周基礎１１の外側面１１ｂと断熱材７ｂとの隙間を通って上方に這い上がろうとする。当実施形態の構造では、外周基礎１１の側面１１ａ、１１ｂと防蟻シート８の周端とが接しているので、基本的には、防蟻シート８によって白蟻の這い上がりが阻止される。しかしながら、防蟻シート８の周端における防蟻効果が経年劣化により薄れたり、防蟻シート８の乾燥により収縮する場合等で防蟻シート８の周端が外周基礎１１の側面１１ａ、１１ｂから離れる等していれば、白蟻が外周基礎１１の側面１１ａ、１１ｂと防蟻シート８との間の隙間を通過してさらに上方まで這い上がり、建築物が白蟻に食われるという被害（食害）が及ぶこともあり得る。このような白蟻による被害を抑えるには、上記外周基礎１１の側面と防蟻シート８の周端とが接する位置における防蟻性能を高めることが好ましい。
【００５３】
当実施形態において、上記防蟻薬液の導入作業は、断熱材７ａ、７ｂを外周基礎１１に取り付けた状態のまま、断熱材７ａ、７ｂの表面側から行うことが可能である。その一例を図８に示す。図８は、注射器２０を用いて外周基礎１１の側面１１ａ，１１ｂと防蟻シート８とが交差する部分に防蟻薬液を導入する場合を例示したものである。
【００５４】
図８の例において、上記床下空間Ｓ３側の外周基礎１１の内側面１１ａと防蟻シート８とが交差する部分に防蟻薬液を補充する際に、作業者は、建築物の床下空間Ｓ３に入り込み、玄関床５と上側断熱材７２ａとの隙間に注射器２０の針先を通して外周基礎１１の内側面１１ａに当接させた状態で、注射器２０のピストンを押し込むことにより、注射器２０内の防蟻薬液を外周基礎１１の内側面１１ａに注入する。外周基礎１１の内側面１１ａに注入された防蟻薬液は、外周基礎１１の内側面１１ａを伝って流下し、防蟻シート８によって受け止められ、防蟻シート８の上面に溜まる。これにより防蟻薬液が高濃度に浸透された浸透領域３０ａが上側断熱材７２ａの下端部に形成される。
【００５５】
また外周基礎１１の外側面１１ｂと防蟻シート８とが交差する部分に防蟻薬液を補充する際には、上がり框６とモルタル層４１との間に注射器２０の針先を通して上がり框６の下面から外周基礎１１の外側面１１ｂに対して防蟻薬液を注入する。外周基礎１１の外側面１１ｂに注入された防蟻薬液は、外周基礎１１の外側面１１ｂを伝って流下し、防蟻シート８によって受け止められ、防蟻シート８の上面に溜まる。これにより防蟻薬液が高濃度に浸透された浸透領域３０ａが上側断熱材７２ｂの下端部に形成される。
【００５６】
防蟻薬液は、白蟻の侵入を防ぐ機能（防蟻機能）および流動性を有する薬剤であり、当該薬剤は、防蟻機能を有するものであれば特にその種類を問わないが、例えば、ピレスロイド様薬剤（シラフルオフェン、エトフェンプロックス等）、ピレスロイド系薬剤（ビフェントリン、サイパーメストン、デルタメスリン、パーメスリン、ペルメスリン、アレスリン、トラロメスリン等）、カーバメント系薬剤（ プロボクスル、フェノブカルブ、セビン等）、クロルニコチル系薬剤（イミダクロプリド、アセタプリド、クロチアニシン等）、ニトロガニリン系薬剤（ジノテフラン等）、有機リン系殺虫剤（ホキシム、テトラクロクピンホス、フェニトロチオン、プロベタンホス等）、ピラゾール系薬剤（フィブロニル等）、クロルフェノール系薬剤（４−プロモ−２，５−ジクロルフェノール（ＢＤＣＰ）等）、フェニルピロール系（クロルフェナビル等）、ヒバ油、ウコン、カプリン酸、ヤシ油、パーム油等を、上記薬剤として使用することができる。
【００５７】
（４）作用効果等
以上説明したように、上記実施形態では、建築物を支持する枠状の外周基礎コンクリート１の外周基礎１１の側面１１ａ，１１ｂが断熱材７ａ，７ｂによって覆われた断熱基礎構造において、次のような特徴的な構成を採用した。
【００５８】
すなわち、上記実施形態では、外周基礎１１の側面１１ａ，１１ｂの下側に取り付けられた下側断熱材７１ａ，７１ｂと、少なくとも周端が外周基礎１１の側面１１ａ，１１ｂに接し、かつ下側断熱材７１ａ，７１ｂの上面を覆うように配置された防蟻シート８と、防蟻シート８の上面に接し、かつ外周基礎１１の側面１１ａ，１１ｂの上側に取り付けられた上側断熱材７２ａ，７２ｂとを備えているので、下側断熱材７１ａ，７１ｂに侵入した白蟻が上側断熱材７２ａ，７２ｂに到達することを防蟻シート８によって防止することができる。また防蟻シート８の周端が外周基礎１１の側面に接しているので、白蟻の進入経路を確実に絶つことが可能となる。
【００５９】
しかも、防蟻シート８が施工後のメンテナンス時に上側断熱材７２ａ，７２ｂと外周基礎１１との隙間に注入される防蟻薬液を堰き止めることが可能な材料で構成されているので、防蟻シート８よりも上側に位置する外周基礎１１の側面１１ａ，１１ｂに防蟻薬液を注入することで、防蟻薬液が外周基礎１１の側面１１ａ，１１ｂを伝って流れ落ちて防蟻シート８で受け止められ、防蟻シート８の上面に溜まるとともに上側断熱材７２ａ，７２ｂの下端部に防蟻薬液を高濃度に浸透させることができる。これにより上側断熱材７２ａ，７２ｂおよび下側断熱材７１ａ，７１ｂを外周基礎１１に取り付けた状態のまま、外周基礎１１の側面１１ａ，１１ｂと防蟻シート８とが交差する部分に防蟻薬液を補充することができるので、上側断熱材７２ａ，７２ｂを取り付けた後に防蟻薬液を容易に補充することができる。
【００６０】
また、下側断熱材７１ａ，７１ｂの上面と防蟻シート８の下面とが接着剤７３によって接着されているので、防蟻シート８の下側から白蟻が防蟻シート８を食い破ろうとして上向きに上がって防蟻シート８の面方向に力が作用した時にも防蟻シート８の周端が外周基礎１１の側面１１ａ，１１ｂから離れることなく接触した状態を保つことができる。これにより防蟻薬液を外周基礎１１の側面１１ａ，１１ｂに伝わせて確実に防蟻シート８で受け止めることが可能となり、防蟻性能のメンテナンス性をより高めることができる。しかも、下側断熱材７１ａ，７１ｂの上面と防蟻シート８とを接着剤７３によって固定することで、下側断熱材７１ａ，７１ｂの上面に防蟻シート８を施工する時に防蟻シート８が位置ずれしにくくなるので、防蟻シート８を配置しやすい。しかも、上記接着剤７３が防蟻機能を有する材料で構成されているので、下側断熱材７１ａ，７１ｂと防蟻シート８との隙間に白蟻が侵入することをより確実に防止することができる。
【００６１】
また上記実施形態では、上側断熱材７２ａ，７２ｂを外周基礎１１に取り付けた状態のままで防蟻薬液を外周基礎１１の側面に沿って導入できるように上側断熱材７２ａ，７２ｂの上面の高さ位置を外周基礎１１の上面よりも下側としているので、上側断熱材７２ａ，７２ｂの上面と玄関床５との間に注射針の針先を挿入できる程度の僅かな隙間が形成されている。この隙間に注射針の針先を挿入することで、外周基礎１１の側面１１ａ，１１ｂに対して防蟻薬液を注入することができる。このようにして注入された防蟻薬液が外周基礎１１の側面１１ａ，１１ｂを伝って流下して防蟻シート８で受け止められ、防蟻シート８の上面に溜まるとともに上側断熱材７２ａ，７２ｂの下端部に防蟻薬液を高濃度に浸透させることができる。これにより上側断熱材７２ａ，７２ｂおよび下側断熱材７１ａ，７１ｂを外周基礎１１に取り付けた状態のまま、外周基礎１１の側面１１ａ，１１ｂと防蟻シート８とが交差する部分に防蟻薬液を補充することができるので、断熱基礎構造に対する防蟻薬液の補充作業が容易である。
【００６２】
上記実施形態では、下側断熱材７１ａ，７１ｂの側面に接し、かつ下側断熱材７１ａ，７１ｂの上面と略同一高さまで盛り上げた地盤Ｅ１〜Ｅ３をさらに設け、防蟻シート８は、下側断熱材７１ａ，７１ｂの上面および地盤Ｅ１〜Ｅ３の上面を覆うように設けられているので、防蟻シート８の一端を下側断熱材７１ａ，７１ｂに接するように配置する作業が容易となり、防蟻シート８をより簡便に施工することができる。また、下側断熱材７１ａ，７１ｂの上面と地盤Ｅ１の上面との間に隙間が形成されないので、下側断熱材７１ａ，７１ｂの上面と地盤Ｅ１の上面との間が微妙に異なることで両者の間に隙間が形成されている場合に比べて、蟻の進入経路をより確実に絶つことが可能となる。
【００６３】
上記実施形態のように、上側断熱材７２ａ，７２ｂを取り付けた後に、外周基礎１１の側面１１ａ，１１ｂに防蟻薬液を注入することで、防蟻薬液が外周基礎１１の側面１１ａ，１１ｂを伝って流れ落ちて防蟻シート８で受け止められ、防蟻シート８の上面に溜まるとともに上側断熱材７２ａ，７２ｂの下端部に防蟻薬液を高濃度に浸透させることができる。
【００６４】
また、上記防蟻薬液の防蟻効果が低下した場合には、上記箇所に配置された防蟻薬液に対して追加の防蟻薬液を外周基礎１１の側面１１ａ，１１ｂに供給することにより上側断熱材７２ａ，７２ｂおよび下側断熱材７１ａ，７１ｂを外周基礎１１の側面１１ａ，１１ｂに取り付けた状態のまま、防蟻薬液を容易に補充することができる。これにより、メンテナンス用の防蟻薬液を補充するためにわざわざ断熱材７ａ，７ｂを取り外すなどの煩雑な作業をする必要がなくなり、メンテナンスの作業性を格段に向上することができる。
【００６５】
さらに、上記防蟻薬液に対し追加の防蟻薬液が定期的に補充されることにより、上記外周基礎１１の側面１１ａ，１１ｂと防蟻シート８とが交差する部分における防蟻効果が長期間に亘って維持されるので、外周基礎１１の側面１１ａ，１１ｂと防蟻シート８との隙間を通った白蟻の侵入を確実に防止することができる。
【００６６】
（変形例）
上記実施形態において、防蟻薬液を堰き止めることが可能な材料で構成された防蟻シート８を用いる場合を説明したが、このような材質の防蟻シート８のみに限られず、防蟻シート８は防蟻薬液を含浸することが可能な材料で構成されていてもよい。ここで、防蟻薬液を含浸することが可能な材料の具体例としては、ポリエチレン樹脂、ポリプロピレン樹脂、ＥＶＡ共重合体樹脂、ポリ塩化ビニル樹脂、ポリエチレンテレフタレート樹脂などの樹脂成形体からなる不織布または織布が挙げられる。このような不織布または織布に対して防蟻性能を示す薬液を含浸させたものを用いてもよい。このような材料で防蟻シート８を構成することで、防蟻シート８よりも上側に位置する外周基礎１１の側面１１ａ，１１ｂに防蟻薬液を注入したときに、防蟻薬液が外周基礎１１の側面１１ａ，１１ｂを伝って流れ落ちて防蟻シート８に含浸される。これにより上側断熱材７２ａ，７２ｂおよび下側断熱材７１ａ，７１ｂを外周基礎１１に取り付けた状態のまま、防蟻シート８に防蟻薬液を含浸させることができるので、断熱基礎構造のメンテナンス時に防蟻薬液を充填する作業が容易となる。
【００６７】
上記実施形態において、外周基礎１１の側面１１ａ，１１ｂに注入された防蟻薬液を防蟻シート８へと導く案内手段を設けてもよい。防蟻シート８が防蟻薬液を含浸することが可能な材料で構成されている場合、案内手段としては、上側断熱材７２ａ，７２ｂを厚み方向に貫通するガイド孔と、この上側断熱材７２ａ，７２ｂの裏面に開口する上記ガイド孔の出口から上側断熱材７２ａ，７２ｂの裏面に沿って延び、防蟻シート８の上面まで達するガイド溝とを含むものを用いることができる。この構成によれば、上側断熱材７２ａ，７２ｂに設けられたガイド孔およびガイド溝に防蟻薬液を注入する等の簡単な方法により防蟻シート８に向けて確実に防蟻薬液を導入することができる。しかも防蟻シート８が防蟻薬液を含浸することが可能な材料で構成されているので、防蟻シート８に到達した防蟻薬液が防蟻シート８の面内で拡散されるようになっている。
【００６８】
上記案内手段は、上側断熱材７２ａ，７２ｂの裏面の少なくとも一部を覆うように取り付けた織布または不織布であってもよい。ここでの上側断熱材７２ａ，７２ｂの裏面とは、上側断熱材７２ａ，７２ｂの表面のうちの外周基礎１１の側面１１ａ，１１ｂに取り付けられる側の面を意味する。上側断熱材７２ａ，７２ｂの裏面に取り付けられた不織布に防蟻薬液を注入することで、防蟻薬液が不織布を伝って防蟻シート８に確実に防蟻薬液を導入することができる。また案内手段は、上側断熱材７２ａ，７２ｂを厚み方向に貫通するガイド孔と、上側断熱材７２ａ，７２ｂの裏面に取り付けられた不織布とを組み合わせたものであってもよい。これによりガイド孔に注入された防蟻薬液が不織布に含浸され、当該不織布を伝って防蟻シート８に確実に防蟻薬液を導入することができる。この場合、上側断熱材７２ａ，７２ｂの裏面側に設けられるガイド溝は省略することができる。
【００６９】
上記案内手段を設ける場合、上記実施形態のように上側断熱材７２ａ，７２ｂの上面の高さ位置を外周基礎１１の上面よりも下側とする必要はなく、上側断熱材７２ａ，７２ｂおよび外周基礎１１の上面の高さ位置を同一とすることができる。
【００７０】
上記実施形態においては、上側断熱材７２ａの上面と玄関床５との間の隙間から外周基礎１１の側面１１ａ，１１ｂに防蟻薬液を注入することによって防蟻シート８上に防蟻薬液が高濃度に充填された浸透領域３０ａを形成する場合を説明したが、防蟻薬液の供給経路は、上記実施形態に示す部位のみに限られず、例えば玄関床５と外周基礎コンクリート１との隙間に注射器の針先を差し込んで、この針先から外周基礎１１の外側面１１ｂに防蟻薬液を供給することもできる。また別の防蟻薬液の供給手法として、上側断熱材７２ａ，７２ｂ，７２ｃを上下に分割する分割溝を形成するとともに当該分割溝に嵌め込み可能な嵌込型断熱材を設けてもよい。この場合、防蟻薬液の注入時には嵌込型断熱材を取り外して外周基礎１１の側面１１ａ，１１ｂを露出させ、当該露出した外周基礎１１の側面１１ａ，１１ｂから防蟻薬液を注入してもよい。
【符号の説明】
【００７１】
Ｅ  地盤
１  外周基礎コンクリート
２  土間スラブ
３  境界基礎コンクリート
４  上層部材
５  玄関床
６  上がり框
７ａ，７ｂ  断熱材
８  防蟻シート
１１  外周基礎
１１ａ  内側面
１１ｂ  外側面
３０ａ  浸透領域
３１  境界基礎
７１ａ，７１ｂ，７１ｃ  下側断熱材
７２ａ，７２ｂ，７２ｃ  上側断熱材
７３  接着剤
【図１】
2018066205.tif 000003
【図２】
2018066205.tif 000004
【図３】
2018066205.tif 000005
【図４】
2018066205.tif 000006
【図５】
2018066205.tif 000007
【図６】
2018066205.tif 000008
【図７】
2018066205.tif 000009
【図８】
2018066205.tif 000010
【図９】
2018066205.tif 000011
【図１０】
2018066205.tif 000012